(57)【特許請求の範囲】
【請求項１】
通過ガスの流量を測定する流量測定手段と、流量測定手段からの信号に基づき調整圧測定信号を出力する制御手段と、制御手段からの調整圧測定信号に基づきガス管内のガス圧を測定するガス圧力測定手段と、調整圧の上限異常判定値と下限異常判定値をそれぞれ記憶する上限異常判定値記憶手段および下限異常判定値記憶手段と、ガス圧力測定手段からの信号と上限異常判定値記憶手段、下限異常判定値記憶手段からの信号に基づき調整圧の異常を判定し、制御手段に異常信号を出力する調整圧異常判定手段と、異常信号を所定回数受信した制御回路からの信号に基づき外部に異常表示する表示手段とを備えたガス遮断装置において、
制御手段からの信号に基づき時間を計時し所定時間に達すると信号を出力する計時手段と、計時手段で計時される所定時間内に所定のタイミングで測定される調整圧の測定毎に最大と最小の調整圧を更新してそれぞれ記憶する最大調整圧力記憶手段および最小調整圧力記憶手段と、
計時手段から所定時間経過信号が出力されると、最大調整圧力記憶手段に記憶された最大の調整圧に一定値を加算した加算値と予め定めた上限リミット値とを比較し、加算値が上限リミット値を超えれば上限リミット値を上限異常判定値とし、加算値が上限リミット値を超えなければ加算値を上限異常判定値として上限異常判定値記憶手段に記憶する上限判定値設定手段と、
最小調整圧力記憶手段に記憶された最小の調整圧から一定値を減算した減算値と予め定めた下限リミット値とを比較し、減算値が下限リミット値を超えれば下限リミット値を下限異常判定値とし、減算値が下限リミット値を超えなければ減算値を下限異常判定値として下限異常判定値記憶手段に記憶する下限判定値設定手段と、
を備えたことを 特徴とするガス遮断装置。
【請求項２】
通過ガスの流量を測定する流量測定手段と、流量測定手段からの信号と流量停止判定手段からの信号に基づき閉塞圧測定信号を出力する制御手段と、制御手段からの閉塞圧測定信号に基づきガス管内のガス圧を測定するガス圧力測定手段と、閉塞圧の異常判定値を記憶する閉塞圧異常判定値記憶手段と、ガス圧力測定手段からの信号と閉塞圧異常判定値記憶手段からの信号に基づき閉塞圧の異常を判定し、制御手段に異常信号を出力する閉塞圧異常判定手段と、異常信号を所定回数受信した制御回路からの信号に基づき外部に異常表示する表示手段とを備えたガス遮断装置において、
制御手段からの信号に基づき時間を計時し所定時間に達すると信号を出力する計時手段と、
計時手段で計時される所定時間内に所定のタイミングで測定される閉塞圧の測定毎に最大の閉塞圧を更新して記憶する最大閉塞圧力記憶手段と、
計時手段から所定時間経過信号が出力されると、最大閉塞圧力記憶手段に記憶された最大の閉塞圧に一定値を加算した加算値と予め定めた閉塞圧異常上限リミット値を比較し、加算値が閉塞圧異常上限リミット値を超えれば閉塞圧異常上限リミット値を異常判定値とし、加算値が閉塞圧異常上限リミット値を超えなければ加算値を異常判定値として閉塞異常判定値記憶手段に記憶する閉塞判定値設定手段と、
を備えたことを特徴とするガス遮断装置。
【請求項３】
通過ガスの流量を測定する流量測定手段と、流量測定手段からの信号に基づき調整圧測定信号を出力する制御手段と、制御手段からの調整圧測定信号に基づきガス管内のガス圧を測定するガス圧力測定手段と、調整圧の上限異常判定値と下限異常判定値をそれぞれ記憶する上限異常判定値記憶手段および下限異常判定値記憶手段と、ガス圧力測定手段からの信号と上限異常判定値記憶手段、下限異常判定値記憶手段からの信号に基づき調整圧の上限異常、下限異常をそれぞれ判定し、制御手段にそれぞれの異常信号を出力する上限異常判定手段および下限異常判定手段と、異常信号を所定回数受信した制御手段からの信号に基づき外部に異常表示する表示手段とを備えたガス遮断装置において、
制御手段からの信号に基づき時間を計時し所定時間に達すると信号を出力する計時手段と、
計時手段で計時される所定時間内に所定のタイミングで調整圧の上限異常と下限異常をそれぞれ判定し、異常がある場合には上限異常判定手段と下限異常判定手段にそれぞれ区別して記憶し、
計時手段から所定時間経過信号が出力されると、上限異常判定手段と下限異常判定手段に異常の記憶があるか否かを判定し、異常の記憶がある場合に異常判定値を変更するための所定の変更処理を実行する上限判定値設定手段および下限判定値設定手段を有し、
上限判定値設定手段は、上限異常判定手段に異常の記憶があるとき、現在の上限異常判定値に一定値を加算し、その加算値と予め定めた上限リミット値を比較し、加算値が上限リミット値を超えれば上限リミット値を上限異常判定値とし、加算値が上限リミット値を超えなければ加算値を上限異常判定値として上限異常判定値記憶手段に記憶し、
下限判定値設定手段は、下限異常判定手段に異常の記憶があるとき、現在の下限異常判定値から一定値を減算し、その減算値と予め定めた下限リミット値を比較し、減算値が下限リミット値を超えれば下限リミット値を下限異常判定値とし、減算値が下限リミット値を超えなければ減算値を下限異常判定値として下限異常判定値記憶手段に記憶する、
ことを特徴とするガス遮断装置。
【請求項４】
通過ガスの流量を測定する流量測定手段と、流量測定手段からの信号と流量停止判定手段からの信号に基づき閉塞圧測定信号を出力する制御手段と、制御手段からの閉塞圧測定信号に基づきガス管内のガス圧を測定するガス圧力測定手段と、閉塞圧の異常判定値を記憶する閉塞圧異常判定値記憶手段と、ガス圧力測定手段からの信号と閉塞圧異常判定値記憶手段からの信号に基づき閉塞圧の異常を判定し、制御手段に異常信号を出力する閉塞圧異常判定手段と、異常信号を所定回数受信した制御回路からの信号に基づき外部に異常表示する表示手段とを備えたガス遮断装置において、
制御手段からの信号に基づき時間を計時し所定時間に達すると信号を出力する計時手段と、
計時手段で計時される所定時間内に所定のタイミングで閉塞圧の異常を判定し、異常がある場合には閉塞圧異常判定手段に記憶し、
計時手段から所定時間経過信号が出力されると、閉塞圧異常判定手段に異常の記憶があるか否かを判定し、異常の記憶がある場合に閉塞圧異常判定値を変更するための所定の変更処理を実行する閉塞判定値設定手段を有し、
閉塞判定値設定手段は、閉塞圧異常判定手段に異常の記憶があるとき、現在の閉塞圧異常判定値に一定値を加算し、その加算値と予め定めた閉塞圧異常上限リミット値を比較し、加算値が閉塞圧異常上限リミット値を超えれば該上限リミット値を閉塞圧異常判定値とし、加算値が閉塞圧異常上限リミット値を超えなければ加算値を閉塞圧異常判定値として閉塞圧異常判定値記憶手段に記憶する、
ことを特徴とするガス遮断装置。
【請求項５】
請求項３記載のガス遮断装置において、
上限異常判定手段、下限異常判定手段からの異常信号に基づき調整圧の上限異常回数、下限異常回数をそれぞれカウントして記憶する上限異常カウント手段及び下限異常カウント手段と、上限異常カウント手段及び下限異常カウント手段でカウントした調整圧異常の発生回数に従って、新たな異常判定値をそれぞれ設定する上限判定値設定手段、下限判定値設定手段を有し、
上限判定値設定手段は、上限異常カウント手段でカウントされた異常回数があれば、現在の上限異常判定値に異常回数に応じた所定値を加算し、その加算値と予め定めた上限リミット値を比較し、加算値が上限リミット値を超えれば上限リミット値を上限異常判定値とし、加算値が上限リミット値を超えなければ加算値を上限異常判定値として上限異常判定値記憶手段に記憶し、
下限判定値設定手段は、下限異常カウント手段でカウントされた異常回数があれば、現在の下限異常判定値から異常回数に応じた所定値を減算し、その減算値と予め定めた下限リミット値を比較し、減算値が下限リミット値を超えれば下限リミット値を下限異常判定値とし、減算値が下限リミット値を超えなければ減算値を下限異常判定値として下限異常判定値記憶手段に記憶する、
ことを特徴とするガス遮断装置。
【請求項６】
請求項４記載のガス遮断装置において、
閉塞圧異常判定手段からの異常信号に基づき閉塞圧異常回数をカウントして記憶する閉塞圧異常カウント手段と、閉塞圧異常カウント手段でカウントした閉塞圧異常の発生回数に従って、新たな異常判定値を設定する閉塞判定値設定手段を有し、
閉塞判定値設定手段は、閉塞圧異常カウント手段でカウントされた異常回数があれば、現在の閉塞圧異常判定値に異常回数に応じた所定値を加算し、その加算値と予め定めた閉塞圧異常上限リミット値を比較し、加算値が閉塞圧異常上限リミット値を超えれば該上限リミット値を閉塞圧異常判定値とし、加算値が閉塞圧異常上限リミット値を超えなければ加算値を閉塞圧異常判定値として閉塞圧異常判定値記憶手段に記憶する、
ことを特徴とするガス遮断装置。
【請求項７】
請求項３記載のガス遮断装置において、
上限異常判定手段、下限異常判定手段からの信号に基づき、調整圧と上限異常判定値との最大上限異常差圧および調整圧と下限異常判定値との最大下限異常差圧をそれぞれ記憶する上限差圧記憶手段及び下限差圧記憶手段と、上限差圧記憶手段及び下限差圧記憶手段で記憶した調整圧の最大異常差圧に従って、新たな異常判定値をそれぞれ設定する上限判定値設定手段と、下限判定値設定手段を有し、
上限判定値設定手段は、上限差圧記憶手段に異常差圧の記憶があるとき、現在の上限異常判定値に記憶されている最大上限差圧に所定値を乗じた値を加算し、その加算値が予め定めた上限リミット値を超えれば上限リミット値を上限異常判定値とし、加算値が上限リミット値を超えなければ加算値を上限異常判定値として上限異常判定値記憶手段に記憶し、
下限判定値設定手段は、下限差圧記憶手段に異常差圧の記憶があるとき、現在の下限異常判定値から記憶されている最大下限差圧に所定値を乗じた値を減算し、その減算値が予め定めた下限リミット値を超えれば下限リミット値を下限異常判定値とし、減算値が下限リミット値を超えなければ減算値を下限異常判定値として下限異常判定値記憶手段に記憶する、
ことを特徴とするガス遮断装置。
【請求項８】
請求項４記載のガス遮断装置において、
閉塞圧異常判定手段からの信号に基づき、閉塞圧と閉塞圧異常判定値との最大異常差圧を記憶する閉塞圧差圧記憶手段と、閉塞圧差圧記憶手段で記憶した閉塞圧の最大異常差圧に従って、新たな異常判定値を設定する閉塞圧判定値設定手段を有し、
閉塞圧判定値設定手段は、閉塞圧差圧記憶手段に異常差圧の記憶があるとき、現在の閉塞圧異常判定値に記憶されている最大閉塞圧差圧に所定値を乗じた値を加算し、その加算値が閉塞圧異常上限リミット値を超えれば該上限リミット値を閉塞圧異常判定値とし、加算値が閉塞圧異常上限リミット値を超えなければ加算値を閉塞圧異常判定値として閉塞圧異常判定値記憶手段に記憶する、
ことを特徴とするガス遮断装置。
【発明の詳細な説明】
【０００１】
【発明の属する技術分野】
本発明は、ガスの事故を未然に防ぐために異常時にガス通路を遮断するガス遮断装置に関し、詳しくは調整圧と閉塞圧の異常判定を行うガス遮断装置の制御回路に関するものである。
【０００２】
【従来の技術】
従来この種のガス遮断装置において、調整圧の異常判定を行う制御回路については図２１に示すように、通過ガスの流量を測定する流量測定手段１と、流量測定手段１からの信号に基づき調整圧測定信号を出力する制御手段２と、制御手段２からの調整圧測定信号に基づきガス管内のガス圧を測定するガス圧力測定手段３と、調整圧の上限異常判定値と下限異常判定値をそれぞれ記憶する上限異常判定値記憶手段４と、下限異常判定値記憶手段５と、ガス圧力測定手段３からの信号と上限異常判定値記憶手段４、下限異常判定値記憶手段５からの信号に基づき調整圧の異常を判定し、制御手段２に異常信号を出力する調整圧異常判定手段６と、異常信号を所定回数受信した制御手段２からの信号に基づき外部に異常表示する表示手段７とを備えた構成となっていた。
【０００３】
また閉塞圧の異常判定を行う制御回路については図２２に示すように、通過ガスの流量を測定する流量測定手段１と、流量測定手段１からの信号と流量停止判定手段８からの信号に基づき閉塞圧測定信号を出力する制御手段２と、制御手段２からの閉塞圧測定信号に基づきガス管内のガス圧を測定するガス圧力測定手段３と、閉塞圧の異常判定値を記憶する閉塞圧異常判定値記憶手段９と、ガス圧力測定手段３からの信号と閉塞圧異常判定値記憶手段９からの信号に基づき閉塞圧の異常を判定し、制御手段２に異常信号を出力する閉塞圧異常判定手段１０と、異常信号を所定回数受信した制御手段２からの信号に基づき外部に異常表示する表示手段７とを備えた構成となっていた。
【０００４】
【発明が解決しようとする課題】
しかしながら上記従来のような制御回路を備えたガス遮断装置では、上限異常判定値記憶手段４や下限異常判定値記憶手段５、または閉塞圧異常判定値記憶手段９に記憶される上限ないし下限の調整圧や閉塞圧の異常判定値は、機器の安全使用上当初から定められた固定値である。よって、調整圧や閉塞圧を測定する調整器（ガス圧力測定手段３）のばらつきや、各家庭のガス器具使用状況に対応した異常判定値を設定できず、調整圧異常判定手段６や閉塞圧異常判定手段１０において最適な異常判定を行うことができないという問題を有していた。
【０００５】
そこで本発明は上記問題点を解決し、調整圧や閉塞圧の異常判定値を、それらを測定するための調整器のばらつきや各家庭のガス器具使用状況に対応して設定し、最適な異常判定を行うように制御できるガス遮断装置を提供することを目的とする。
【０００６】
【課題を解決するための手段】
本願第１発明は上記目的を達成するために、通過ガスの流量を測定する流量測定手段と、流量測定手段からの信号に基づき調整圧測定信号を出力する制御手段と、制御手段からの調整圧測定信号に基づきガス管内のガス圧を測定するガス圧力測定手段と、調整圧の上限異常判定値と下限異常判定値をそれぞれ記憶する上限異常判定値記憶手段および下限異常判定値記憶手段と、ガス圧力測定手段からの信号と上限異常判定値記憶手段、下限異常判定値記憶手段からの信号に基づき調整圧の異常を判定し、制御手段に異常信号を出力する調整圧異常判定手段と、異常信号を所定回数受信した制御回路からの信号に基づき外部に異常表示する表示手段とを備えたガス遮断装置において、制御手段からの信号に基づき時間を計時し所定時間に達すると信号を出力する計時手段と、計時手段で計時される所定時間内に所定のタイミングで測定される調整圧の測定毎に最大と最小の調整圧を更新してそれぞれ記憶する最大調整圧力記憶手段および最小調整圧力記憶手段と、計時手段から所定時間経過信号が出力されると、最大調整圧力記憶手段に記憶された最大の調整圧に一定値を加算した加算値と予め定めた上限リミット値とを比較し、加算値が上限リミット値を超えれば上限リミット値を上限異常判定値とし、加算値が上限リミット値を超えなければ加算値を上限異常判定値として上限異常判定値記憶手段に記憶する上限判定値設定手段と、最小調整圧力記憶手段に記憶された最小の調整圧から一定値を減算した減算値と予め定めた下限リミット値とを比較し、減算値が下限リミット値を超えれば下限リミット値を下限異常判定値とし、減算値が下限リミット値を超えなければ減算値を下限異常判定値として下限異常判定値記憶手段に記憶する下限判定値設定手段とを備えたことを特徴とする。
【０００７】
この第１発明によれば、ガス圧力測定手段が調整圧を測定する毎に最大調整圧力記憶手段と最小調整圧力記憶手段で最大と最小の調整圧を更新して記憶する。
【０００８】
所定時間が経過すれば計時手段からの信号を受信した制御手段からの信号により、上限判定値設定手段では、最大調整圧力記憶手段で記憶された最大の調整圧に一定値を加算した値が、当初から上限異常判定値記憶手段に定められた異常圧の上限固定値を超えなければ、その加算値を上限異常判定値として上限異常判定値記憶手段に記憶させ、上限固定値を超えれば、その固定値を上限異常判定値として上限異常判定値記憶手段に記憶させる。一方下限判定値設定手段では、最小調整圧力記憶手段で記憶された最小の調整圧から一定値を減算した値が、当初から下限異常判定値記憶手段に定められた異常圧の下限固定値を超えなけれは、その減算値を下限判定値として下限異常判定値記憶手段に記憶させ、前記下限固定値を超えれば、その固定値を下限判定値として下限異常判定値記憶手段に記憶させる。従って、ガス遮断装置、調整器を設置した後に、調整器の特性、需要家のガス器具使用状況に対応した調整圧の異常判定値を設定することができる。
【０００９】
本願第２発明は上記目的を達成するために、通過ガスの流量を測定する流量測定手段と、流量測定手段からの信号と流量停止判定手段からの信号に基づき閉塞圧測定信号を出力する制御手段と、制御手段からの閉塞圧測定信号に基づきガス管内のガス圧を測定するガス圧力測定手段と、閉塞圧の異常判定値を記憶する閉塞圧異常判定値記憶手段と、ガス圧力測定手段からの信号と閉塞圧異常判定値記憶手段からの信号に基づき閉塞圧の異常を判定し、制御手段に異常信号を出力する閉塞圧異常判定手段と、異常信号を所定回数受信した制御回路からの信号に基づき外部に異常表示する表示手段とを備えたガス遮断装置において、制御手段からの信号に基づき時間を計時し所定時間に達すると信号を出力する計時手段と、計時手段で計時される所定時間内に所定のタイミングで測定される閉塞圧の測定毎に最大の閉塞圧を更新して記憶する最大閉塞圧力記憶手段と、計時手段から所定時間経過信号が出力されると、最大閉塞圧力記憶手段に記憶された最大の閉塞圧に一定値を加算した加算値と予め定めた閉塞圧異常上限リミット値を比較し、加算値が閉塞圧異常上限リミット値を超えれば閉塞圧異常上限リミット値を異常判定値とし、加算値が閉塞圧異常上限リミット値を超えなければ加算値を異常判定値として閉塞異常判定値記憶手段に記憶する閉塞判定値設定手段とを備えたことを特徴とする。
【００１０】
この第２発明によれば、ガス圧力測定手段が閉塞圧を測定する毎に最大閉塞圧力記憶手段で最大の閉塞圧を更新して記憶する。所定時間が経過すれば計時手段からの信号を受信した制御手段からの信号により、閉塞判定値設定手段で、最大閉塞圧力記憶手段で記憶された最大の調整圧に一定値を加算した値が、当初から閉塞圧異常判定値記憶手段に定められた異常圧の上限固定値を超えなけれは、その加算値を閉塞圧異常判定値として閉塞圧異常判定値記憶手段に記憶させ、前記上限固定値を超えれば、その固定値を閉塞圧異常判定値として閉塞圧異常判定値記憶手段に記憶させる。従って、ガス遮断装置、調整器を設置した後に、調整器の特性、需要家のガス器具使用状況に対応した閉塞圧の異常判定値を設定することができる。
【００１１】
本願第３発明は上記目的を達成するために、通過ガスの流量を測定する流量測定手段と、流量測定手段からの信号に基づき調整圧測定信号を出力する制御手段と、制御手段からの調整圧測定信号に基づきガス管内のガス圧を測定するガス圧力測定手段と、調整圧の上限異常判定値と下限異常判定値をそれぞれ記憶する上限異常判定値記憶手段および下限異常判定値記憶手段と、ガス圧力測定手段からの信号と上限異常判定値記憶手段、下限異常判定値記憶手段からの信号に基づき調整圧の上限異常、下限異常をそれぞれ判定し、制御手段にそれぞれの異常信号を出力する上限異常判定手段および下限異常判定手段と、異常信号を所定回数受信した制御手段からの信号に基づき外部に異常表示する表示手段とを備えたガス遮断装置において、制御手段からの信号に基づき時間を計時し所定時間に達すると信号を出力する計時手段と、計時手段で計時される所定時間内に所定のタイミングで調整圧の上限異常と下限異常をそれぞれ判定し、異常がある場合には上限異常判定手段と下限異常判定手段にそれぞれ区別して記憶し、計時手段から所定時間経過信号が出力されると、上限異常判定手段と下限異常判定手段に異常の記憶があるか否かを判定し、異常の記憶がある場合に異常判定値を変更するための所定の変更処理を実行する上限判定値設定手段および下限判定値設定手段を有し、上限判定値設定手段は、上限異常判定手段に異常の記憶があるとき、現在の上限異常判定値に一定値を加算し、その加算値と予め定めた上限リミット値を比較し、加算値が上限リミット値を超えれば上限リミット値を上限異常判定値とし、加算値が上限リミット値を超えなければ加算値を上限異常判定値として上限異常判定値記憶手段に記憶し、下限判定値設定手段は、下限異常判定手段に異常の記憶があるとき、現在の下限異常判定値から一定値を減算し、その減算値と予め定めた下限リミット値を比較し、減算値が下限リミット値を超えれば下限リミット値を下限異常判定値とし、減算値が下限リミット値を超えなければ減算値を下限異常判定値として下限異常判定値記憶手段に記憶することを特徴とする。
【００１２】
この第３発明によれば、ガス圧力測定手段が調整圧を測定する毎に上限異常判定手段と下限異常判定手段により調整圧の異常判定を行い異常があれば記憶しておく。所定時間が経過すれば計時手段からの信号を受信した制御手段からの信号により、上限判定値設定手段では、上限異常判定手段で記憶された上限異常があれば現在の上限異常判定値に一定値を加算した値が、当初から上限異常判定値記憶手段に定められた異常圧の上限固定値を超えなけれは、その加算値を下限異常判定値として上限異常判定値記憶手段に記憶させ、前記上限固定値を超えればその固定値を上限異常判定値として上限異常判定値記憶手段に記憶させる。一方下限判定値設定手段では、下限異常判定手段で記憶された下限異常があれば現在の下限異常判定値から一定値を減算した値が、当初から下限異常判定値記憶手段に定められた異常圧の下限固定値を超えなけれは、その減算値を下限異常判定値として下限異常判定値記憶手段に記憶させ、前記下限固定値を超えればその固定値を下限異常判定値として下限異常判定値記憶手段に記憶させる。従って、一度設定された調整圧の異常判定値を、その後の調整器の径年変化や需要家のガス使用器具の使用パターン、ガス器具の変更に対応した最適の値に設定し直すことができる。
【００１３】
本願第４発明は上記目的を達成するために、通過ガスの流量を測定する流量測定手段と、流量測定手段からの信号と流量停止判定手段からの信号に基づき閉塞圧測定信号を出力する制御手段と、制御手段からの閉塞圧測定信号に基づきガス管内のガス圧を測定するガス圧力測定手段と、閉塞圧の異常判定値を記憶する閉塞圧異常判定値記憶手段と、ガス圧力測定手段からの信号と閉塞圧異常判定値記憶手段からの信号に基づき閉塞圧の異常を判定し、制御手段に異常信号を出力する閉塞圧異常判定手段と、異常信号を所定回数受信した制御回路からの信号に基づき外部に異常表示する表示手段とを備えたガス遮断装置において、  制御手段からの信号に基づき時間を計時し所定時間に達すると信号を出力する計時手段と、計時手段で計時される所定時間内に所定のタイミングで閉塞圧の異常を判定し、異常がある場合には閉塞圧異常判定手段に記憶し、計時手段から所定時間経過信号が出力されると、閉塞圧異常判定手段に異常の記憶があるか否かを判定し、異常の記憶がある場合に閉塞圧異常判定値を変更するための所定の変更処理を実行する閉塞判定値設定手段を有し、閉塞判定値設定手段は、閉塞圧異常判定手段に異常の記憶があるとき、現在の閉塞圧異常判定値に一定値を加算し、その加算値と予め定めた閉塞圧異常上限リミット値を比較し、加算値が閉塞圧異常上限リミット値を超えれば該上限リミット値を閉塞圧異常判定値とし、加算値が閉塞圧異常上限リミット値を超えなければ加算値を閉塞圧異常判定値として閉塞圧異常判定値記憶手段に記憶することを特徴とする。
【００１４】
この第４発明によれば、ガス圧力測定手段が閉塞圧を測定する毎に閉塞圧異常判定手段で閉塞圧の異常判定を行い、異常があれば記憶しておく。所定時間が経過すれば計時手段からの信号を受信した制御手段からの信号により、閉塞判定値設定手段で、閉塞圧異常判定手段で記憶された閉塞圧異常があれば現在の閉塞圧異常判定値に一定値を加算した値が、当初から閉塞圧異常判定値記憶手段に定められた異常圧の上限固定値を超えなけれは、その加算値を閉塞圧異常判定値として閉塞圧異常判定値記憶手段に記憶させ、前記上限固定値を超えればその固定値を異常判定値として閉塞圧異常判定値記憶手段に記憶させる。従って、一度設定された閉塞圧の異常判定値を、その後の調整器の径年変化、需要家のガス使用器具の使用パターン、ガス器具の変更に対応した最適の値に設定し直すことができる。
【００１５】
本願第５発明は上記目的を達成するために、上記第３発明の構成において、上限異常判定手段、下限異常判定手段からの異常信号に基づき調整圧の上限異常回数、下限異常回数をそれぞれカウントして記憶する上限異常カウント手段及び下限異常カウント手段と、上限異常カウント手段及び下限異常カウント手段でカウントした調整圧異常の発生回数に従って、新たな異常判定値をそれぞれ設定する上限判定値設定手段、下限判定値設定手段を有し、上限判定値設定手段は、上限異常カウント手段でカウントされた異常回数があれば、現在の上限異常判定値に異常回数に応じた所定値を加算し、その加算値と予め定めた上限リミット値を比較し、加算値が上限リミット値を超えれば上限リミット値を上限異常判定値とし、加算値が上限リミット値を超えなければ加算値を上限異常判定値として上限異常判定値記憶手段に記憶し、下限判定値設定手段は、下限異常カウント手段でカウントされた異常回数があれば、現在の下限異常判定値から異常回数に応じた所定値を減算し、その減算値と予め定めた下限リミット値を比較し、減算値が下限リミット値を超えれば下限リミット値を下限異常判定値とし、減算値が下限リミット値を超えなければ減算値を下限異常判定値として下限異常判定値記憶手段に記憶することを特徴とする。
【００１６】
この第５発明によれば、ガス圧力測定手段が調整圧を測定する毎に上限異常判定手段と下限異常判定手段により調整圧の異常判定を行い、上限異常カウント手段と下限異常カウント手段により異常回数をカウントして記憶する。所定時間が経過すれば計時手段からの信号を受信した制御手段からの信号により、上限判定値設定手段では、上限異常カウント手段でカウントされた異常回数があれば現在の上限異常判定値に、一定値に上限異常回数を乗じた値を加算し、その加算値が当初から上限異常判定値記憶手段に定められた異常圧の上限固定値を超えなけれは、その加算値を上限異常判定値として上限異常判定値記憶手段に記憶させ、前記上限固定値を超えればその固定値を上限異常判定値として上限異常判定値記憶手段に記憶させる。一方、下限判定値設定手段では、下限異常カウント手段でカウントされた異常回数があれば現在の下限異常判定値に、一定値に下限異常回数を乗じた値を減算し、その減算値が、当初から下限異常判定値記憶手段に定められた下限固定値を超えなければ、前記減算値を上限異常判定値として下限異常判定値記憶手段に記憶させ、前記下限固定値を超えればその固定値を下限異常判定値として下限異常判定値記憶手段に記憶させる。従って、一度設定された調整圧の異常判定値を、その後の調整器の径年変化、需要家のガス使用器具の使用パターン、ガス器具の変更に伴う調整圧の異常回数に対応した最適の値に設定し直すことができる。
【００１７】
本願第６発明は上記目的を達成するために、上記第４発明の構成において、閉塞圧異常判定手段からの異常信号に基づき閉塞圧異常回数をカウントして記憶する閉塞圧異常カウント手段と、閉塞圧異常カウント手段でカウントした閉塞圧異常の発生回数に従って、新たな異常判定値を設定する閉塞判定値設定手段を有し、閉塞判定値設定手段は、閉塞圧異常カウント手段でカウントされた異常回数があれば、現在の閉塞圧異常判定値に異常回数に応じた所定値を加算し、その加算値と予め定めた閉塞圧異常上限リミット値を比較し、加算値が閉塞圧異常上限リミット値を超えれば該上限リミット値を閉塞圧異常判定値とし、加算値が閉塞圧異常上限リミット値を超えなければ加算値を閉塞圧異常判定値として閉塞圧異常判定値記憶手段に記憶することを特徴とする。
【００１８】
この第６発明によれば、ガス圧力測定手段が閉塞圧を測定する毎に閉塞圧異常判定手段で閉塞圧の異常判定を行い、閉塞圧異常カウント手段で異常回数をカウントして記憶する。所定時間が経過すれば計時手段からの信号を受信した制御手段からの信号により、閉塞判定値設定手段で、閉塞圧異常カウント手段でカウントされた異常回数があれば現在の閉塞圧異常判定値に、一定値に閉塞圧異常回数を乗じた値を加算し、その加算値が、当初から閉塞圧異常判定値記憶手段に定められた上限固定値を超えなけれは、前記加算値を閉塞圧異常判定値として閉塞圧異常判定値記憶手段に記憶させ、前記上限固定値を超えればその固定値を異常判定値として閉塞圧異常判定値記憶手段に記憶させる。従って、一度設定された閉塞圧の異常判定値をその後の調整器の径年変化、需要家のガス使用器具の使用パターン、ガス器具の変更に伴う調整圧の異常回数に対応した最適の値に設定し直すことができる。
【００１９】
本願第７発明は上記目的を達成するために、上記第３発明の構成において、上限異常判定手段、下限異常判定手段からの信号に基づき、調整圧と上限異常判定値との最大上限異常差圧および調整圧と下限異常判定値との最大下限異常差圧をそれぞれ記憶する上限差圧記憶手段及び下限差圧記憶手段と、上限差圧記憶手段及び下限差圧記憶手段で記憶した調整圧の最大異常差圧に従って、新たな異常判定値をそれぞれ設定する上限判定値設定手段と、下限判定値設定手段を有し、上限判定値設定手段は、上限差圧記憶手段に異常差圧の記憶があるとき、現在の上限異常判定値に記憶されている最大上限差圧に所定値を乗じた値を加算し、その加算値が予め定めた上限リミット値を超えれば上限リミット値を上限異常判定値とし、加算値が上限リミット値を超えなければ加算値を上限異常判定値として上限異常判定値記憶手段に記憶し、下限判定値設定手段は、下限差圧記憶手段に異常差圧の記憶があるとき、現在の下限異常判定値から記憶されている最大下限差圧に所定値を乗じた値を減算し、その減算値が予め定めた下限リミット値を超えれば下限リミット値を下限異常判定値とし、減算値が下限リミット値を超えなければ減算値を下限異常判定値として下限異常判定値記憶手段に記憶することを特徴とする。
【００２０】
この第７発明によれば、ガス圧力測定手段が調整圧を測定する毎に上限異常判定手段と下限異常判定手段により調整圧の異常判定を行い、上限差圧記憶手段と下限差圧記憶手段で異常差圧をそれぞれ記憶する。所定時間が経過すれば計時手段からの信号を受信した制御手段からの信号により、上限判定値設定手段では、上限差圧記憶手段で記憶された異常差圧があれば現在の上限異常判定値に、一定値に最大上限差圧を加算し、その加算値が、当初から上限異常判定値記憶手段に定められた上限固定値を超えなけれは、それを上限異常判定値として上限異常判定値記憶手段に記憶させ、前記上限固定値を超えればその固定値を上限異常判定値として上限異常判定値記憶手段に記憶させる。一方、下限判定値設定手段では、下限差圧記憶手段で記憶された異常差圧があれば現在の下限異常判定値に、一定値に最大下限差圧を減算し、その減算値が当初から下限異常判定値記憶手段に定められた下限固定値を超えなけれは、前記減算値を上限異常判定値として下限異常判定値記憶手段に記憶させ、前記下限固定値を超えればその固定値を下限異常判定値として下限異常判定値記憶手段に記憶させる。従って、一度設定された調整圧の異常判定値を、その後の調整器の径年変化、需要家のガス使用器具の使用パターン、ガス器具の変更に伴う調整圧の異常度合（異常判定値との差圧）に対応した最適の値に設定し直すことができる。
【００２１】
本願第８発明は上記目的を達成するために、上記第４発明の構成において、閉塞圧異常判定手段からの信号に基づき、閉塞圧と閉塞圧異常判定値との最大異常差圧を記憶する閉塞圧差圧記憶手段と、閉塞圧差圧記憶手段で記憶した閉塞圧の最大異常差圧に従って、新たな異常判定値を設定する閉塞圧判定値設定手段を有し、閉塞圧判定値設定手段は、閉塞圧差圧記憶手段に異常差圧の記憶があるとき、現在の閉塞圧異常判定値に記憶されている最大閉塞圧差圧に所定値を乗じた値を加算し、その加算値が閉塞圧異常上限リミット値を超えれば該上限リミット値を閉塞圧異常判定値とし、加算値が閉塞圧異常上限リミット値を超えなければ加算値を閉塞圧異常判定値として閉塞圧異常判定値記憶手段に記憶することを特徴とする。
【００２２】
この第８発明によれば、ガス圧力測定手段が閉塞圧を測定する毎に閉塞圧異常判定手段で閉塞圧の異常判定を行い、閉塞圧差圧記憶手段で最大異常差圧を記憶する。所定時間が経過すれば計時手段からの信号を受信した制御手段からの信号により、閉塞判定値設定手段で、閉塞圧差圧記憶手段で記憶した閉塞異常があれば、現在の閉塞圧異常判定値に、一定値に最大閉塞圧差圧を乗じた値を加算し、その加算値が、当初から閉塞圧異常判定値記憶手段に定められた上限固定値を超えなければ、前記加算値を閉塞圧異常判定値として閉塞圧異常判定値記憶手段に記憶させ、前記上限固定値を超えればその固定値を異常判定値として閉塞圧異常判定値記憶手段に記憶させる。従って、一度設定された閉塞圧の異常判定値を、その後の調整器の径年変化、需要家のガス使用器具の使用パターン、ガス器具の変更に伴う調整圧の異常度合（異常判定値との差圧）に対応した最適の値に設定し直すことができる。
【００２３】
【発明の実施の形態】
本発明のガス遮断装置の一実施形態について、調整圧と閉塞圧の異常判定を行う制御回路を主にして図１から図２０を参照して以下に説明する（従来例と共通部分については共通符号を付す）。
【００２４】
図１は本発明の第１実施形態のガス遮断装置を示している。図１において、１は流量測定手段で、例えばリードスイッチ等により通過ガス流量を一定単位流量毎に測定する。２は制御手段で、流量測定手段１からの信号に基づき調整圧測定信号を出力する。３はガス圧力測定手段（調整器）で、制御手段２からの調整圧測定信号に基づきガス管内のガス圧を測定する。１１は最大調整圧力記憶手段、１２は最小調整圧力記憶手段で、ガス圧力測定手段３からの信号に基づき最大、最小の調整圧をそれぞれ記憶する。１３は計時手段で、制御手段２からの信号に基づき時間を計測し、所定時間に達すると信号を出力する。１４は上限判定値設定手段、１５は下限判定値設定手段で、計時手段１３からの信号を受けた制御手段２からの信号と最大調整圧力記憶手段１１、最小調整圧力記憶手段１２からの信号に基づき調整圧の上限異常判定値、下限異常判定値をそれぞれ設定する。４は上限異常判定値記憶手段、５は下限異常判定値記憶手段で、上限判定値設定手段１４、下限判定値設定手段１５からの信号に基づき上限異常判定値、下限異常判定値をそれぞれ記憶する。６は調整圧異常判定手段で、ガス圧力測定手段３からの信号と上限異常判定値記憶手段４、下限異常判定値記憶手段５からの信号に基づき調整圧の異常を判定し、制御手段２に異常信号を出力する。７は表示手段で、調整圧異常判定手段６と異常信号を所定回数受信した制御手段２からの信号に基づき外部に異常表示する。１６は再学習信号入力手段で、制御手段２に再学習信号を出力する。
【００２５】
次に第１実施形態について、図３に示すフローチャートと図４に示すタイミング図を参照してその動作を説明する。
【００２６】
図３のフローチャートのステップ♯１〜♯５に示すように、図４に示す所定時間Ｔ（例えば３０日）の間（ステップ♯１）に所定タイミング（ステップ♯２）で、ガス圧力測定手段３により測定された（ステップ♯３）調整圧に基いて、その測定毎に、最大調整圧力記憶手段１１は最大の調整圧を更新し（ステップ♯４）、また最小調整圧力記憶手段１２は最小の調整圧を更新して（ステップ♯５）それぞれを記憶する。その後、時間Ｔに達すればステップ♯１からステップ♯６に移行し、計時手段１３からの信号を受信した制御手段２からの信号により、上限判定値設定手段１４において、最大調整圧力記憶手段１１で記憶された最大の調整圧に、図４で示す一定値ａ（例えば数ｍｍＨ2 ０) を加算する。そしてその加算値と、機器の安全使用上当初から許容範囲をもって定められている異常圧の上限固定値（以下、上限リミット値と称す。）とを比較し、加算値が上限リミット値を超えればステップ♯７に移行し、上限リミット値を新たな上限判定値として上限異常判定値記憶手段４に記憶させる。しかし前記上限リミット値を超えなければステップ♯８にて前記加算値を上限判定値として上限異常判定値記憶手段４にて記憶させる。一方ステップ♯９では、下限判定値設定手段１５で最小調整圧力記憶手段１２で記憶された最小の調整圧から一定値ａを減算し、その減算値が上限リミット値と同様にして機器の安全使用上定められている異常圧の下限固定値（以下、下限リミット値と称す。）とを比較し、減算値が下限リミット値を超えればステップ♯１０に移行し、下限リミット値を新たな下限判定値として下限異常判定値記憶手段５に記憶させ、下限リミット値を超えなければステップ♯１１にて前記減算値を下限判定値として下限異常判定値記憶手段５に記憶させる。
【００２７】
図２は本発明の第２実施形態のガス遮断装置を示している。図２において、１は流量測定手段で、例えばリードスイッチ等により通過ガス流量を一定単位流量毎に測定する。８は流量停止判定手段で流量測定手段１からの信号に基づきガスの使用停止を判定する。２は制御手段で、流量測定手段１からの信号と流量停止判定手段８からの信号に基づき閉塞圧測定信号を出力する。３はガス圧力測定手段で、制御手段２からの閉塞圧測定信号に基づきガス管内のガス圧を測定する。
【００２８】
１７は最大閉塞圧力記憶手段で、ガス圧力測定手段３からの信号に基づき最大の閉塞圧を記憶する。１３は計時手段で、制御手段２からの信号に基づき時間を計測し、所定時間に達すると信号を出力する。１８は閉塞判定値設定手段で、計時手段１３からの信号を受けた制御手段２からの信号と最大閉塞圧力記憶手段１７からの信号に基づき閉塞圧の異常判定値を設定する。９は閉塞圧異常判定値記憶手段で、閉塞判定値設定手段１８からの信号に基づき閉塞圧異常判定値を記憶する。１０は閉塞圧異常判定手段で、ガス圧力測定手段３からの信号と閉塞圧異常判定値記憶手段９からの信号に基づき閉塞圧の異常を判定し、制御手段２に異常信号を出力する。７は表示手段で、閉塞圧異常判定手段１０と異常信号を所定回数受信した制御手段２からの信号に基づき外部に異常表示する。１６は再学習信号入力手段で、制御手段２に再学習信号を出力する。
【００２９】
次に第２実施形態について、図５に示すタイミング図を参照してその動作を説明する。第１実施形態においてフローチャートで示した調整圧処理と同様に、時間Ｔが経過するまで閉塞圧を測定する毎に、最大閉塞圧力記憶手段１７で最大の閉塞圧を更新して記憶する。その後、時間Ｔに達し計時手段１３からの信号を受信した制御手段２からの信号により閉塞判定値設定手段１８において、最大閉塞圧力記憶手段１７で記憶された最大の閉塞圧に一定値ａ（例えば数ｍｍＨ2 ０) を加算する。そしてその加算値が閉塞圧異常の上限リミット値を超えれば、上限リミット値を新たな閉塞圧の異常判定値として閉塞圧異常判定値記憶手段９に記憶させる。しかし上限リミット値を超えなければ、前記加算値を閉塞異常判定値記憶手段９に記憶させる。
【００３０】
図６は本発明の第３実施形態のガス遮断装置を示している（図１に示した第１実施形態での各手段についての説明は省略する）。
【００３１】
図６において、１９は上限異常判定手段、２０は下限異常判定手段で、ガス圧力測定手段３からの信号と上限異常判定値記憶手段４、下限異常判定値記憶手段５からの信号に基づき調整圧の上限異常、下限異常をそれぞれ判定し、制御手段２に異常信号をそれぞれ出力する。上限判定値設定手段１４、下限判定値設定手段１５は、計時手段１３からの信号を受けた制御手段２からの信号と上限異常判定手段１９、下限異常判定手段２０からの異常信号に基づき調整圧の上限異常判定値、下限異常判定値をそれぞれ設定する。
【００３２】
次に第３実施形態について、図８に示すフローチャートと図９に示すタイミング図を参照してその動作を説明する。
【００３３】
図８のフローチャートのステップ♯１〜♯６に示すように、図９に示す所定時間Ｔ（例えば３０日）の間（ステップ♯１）に所定タイミング（ステップ♯２）で、上限異常判定手段１９と下限異常判定手段２０によりそれぞれ調整圧の上限異常、下限異常の判定を行い（ステップ♯３とステップ♯５）異常があればそれぞれ記憶しておく（ステップ♯４とステップ♯６）。その後、時間Ｔに達すればステップ♯１からステップ♯７に移行し、計時手段１３からの信号を受信した制御手段２からの信号により、上限判定値設定手段１４において、上限異常判定手段１９で記憶された上限異常があれば（ステップ♯７）、現在の上限異常判定値に図９で示す一定値ａ（例えば数ｍｍＨ2 ０) を加算する（ステップ♯８）。そしてその加算値が調整圧異常の上限リミット値を超えればステップ♯９に移行し、上限リミット値を新たな上限判定値として上限異常判定値記憶手段４に記憶させる。しかし加算値が上限リミット値を超えなければステップ♯１０にてその加算値を上限異常判定値記憶手段４に記憶させる。一方、ステップ♯１１では下限判定値設定手段１５で下限異常判定手段２０で記憶された下限異常があれば（ステップ♯１１）現在の下限異常判定値から一定値ａを減算し（ステップ♯１２）、その減算値が調整圧異常の下限リミット値を超えればステップ♯１３に移行し、下限リミット値を新たな下限判定値として下限異常判定値記憶手段５に記憶させ、下限リミット値を超えなければステップ♯１４にて減算値を下限異常判定値記憶手段５に記憶させる。そして時間Ｔの間に調整圧の上限または下限の異常回数が所定回数（例えば１５回）に達していれば、調整圧異常警告成立として表示手段７を通して外部に通知する。
【００３４】
図７は本発明の第４実施形態のガス遮断装置を示している（図２に示した第２実施形態での各手段についての説明は省略する）。第４実施形態における閉塞判定値設定手段１８は、計時手段１３からの信号を受けた制御手段２からの信号と、閉塞圧異常判定手段１０からの信号に基づき閉塞圧の異常判定値を設定する。
【００３５】
次に第４実施形態について、図１０に示すタイミング図を参照してその動作を説明する。閉塞圧が時間Ｔ（例えば３０日）の間に測定された場合、第３実施形態においてフローチャートで示した調整圧処理と同様に、時間Ｔが経過するまで閉塞圧を測定する毎に、閉塞圧異常判定手段１０で閉塞圧の異常判定を行い、異常があれば記憶しておく。その後、時間Ｔに達し計時手段１３からの信号を受信した制御手段２からの信号により閉塞判定値設定手段１８は、閉塞圧異常があれば現在の閉塞圧異常判定値に一定値ａ（例えば数ｍｍＨ2 ０) を加算する。そしてその加算値が閉塞圧異常の上限リミット値を超えれば、上限リミット値を新たな閉塞圧の異常判定値として閉塞圧異常判定値記憶手段９に記憶させる。しかし上限リミット値を超えなければ、前記加算値を閉塞異常判定値記憶手段９に記憶させる。そして時間Ｔの間に閉塞圧の異常回数が所定回数（例えば１５回）に達していれば、閉塞圧異常警告成立として表示手段７を通して外部に通知する。
【００３６】
図１１は本発明の第５実施形態のガス遮断装置を示している（図６に示した第３実施形態での各手段についての説明は省略する）。
【００３７】
図１１において、２１は上限異常カウント手段、２２は下限異常カウント手段で、第３実施形態で説明した上限異常判定手段１９、下限異常判定手段２０からの異常信号に基づき調整圧の上限異常回数、下限異常回数をそれぞれカウントして記憶する。上限判定値設定手段１４、下限判定値設定手段１５は計時手段１３からの信号を受けた制御手段２からの信号と上限異常カウント手段２１、下限異常カウント手段２２でカウントした調整圧力異常の発生回数に従って、新たな調整圧の上限異常判定値、下限異常判定値をそれぞれ設定する。
【００３８】
次に第５実施形態について、図１３に示すフローチャートと図１４に示すタイミング図を参照してその動作を説明する。
【００３９】
図１３のフローチャートのステップ♯１〜♯６に示すように、図１４に示す所定時間Ｔ（例えば３０日）の間（ステップ♯１）に所定タイミング（ステップ♯２）で、上限異常判定手段１９と下限異常判定手段２０によりそれぞれ調整圧の上限異常、下限異常の判定を行い（ステップ♯３とステップ♯５）、上限異常カウント手段２１、下限異常カウント手段２２により異常回数をカウントする（ステップ♯４とステップ♯６）。その後、時間Ｔに達すればステップ♯１からステップ♯７に移行し、計時手段１３からの信号を受信した制御手段２からの信号により、上限判定値設定手段１４において、上限異常カウント手段２１でカウントされた異常回数があれば現在の上限異常判定値に、図１４で示す一定値ａ（例えば数ｍｍＨ2 ０) ×上限異常回数を加算する。そしてその加算値が調整圧異常の上限リミット値を超えればステップ♯８に移行し、上限リミット値を上限判定値として上限異常判定値記憶手段４に記憶させる。しかし上限リミット値を超えなければステップ♯９で、前記加算値を上限異常判定値記憶手段４に記憶させる。
【００４０】
一方、ステップ♯１０〜ステップ♯１２では、下限異常カウント手段２２でカウントされた異常回数を一定値ａに乗じた値を減算し、その減算値が下限リミット値を超えれば、下限リミット値を下限判定値として下限異常判定値記憶手段５に記憶させ、下限リミット値を超えなければ前記減算値を下限判定値として下限異常判定値記憶手段５に記憶させる。そして、時間Ｔの間に調整圧の上限または下限の異常回数が所定回数（例えば１５回）に達していれば、調整圧異常警告成立として表示手段７を通して外部に通知する。
【００４１】
図１２は本発明の第６実施形態のガス遮断装置を示している（図７に示した第４実施形態での各手段についての説明は省略する）。２４は閉塞圧異常カウント手段で、閉塞圧異常判定手段１０からの信号に基づき閉塞圧の異常回数をカウントして記憶する。閉塞圧判定値設定手段１８は、計時手段１３からの信号を受けた制御手段２からの信号と、閉塞圧異常カウント手段２４でカウントした閉塞圧異常の発生回数に従って新たな閉塞圧の異常判定値を設定する。
【００４２】
次に第６実施形態について、図１５に示すタイミング図を参照してその動作を説明する。閉塞圧が時間Ｔ（例えば３０日）の間に測定された場合、第５実施形態においてフローチャートで示した調整圧処理と同様に、時間Ｔが経過するまで閉塞圧を測定する毎に、閉塞圧異常判定手段１０で閉塞圧の異常判定を行い、閉塞圧異常カウント手段２４で異常回数をカウントする。その後、時間Ｔに達し計時手段１３からの信号を受信した制御手段２からの信号により閉塞判定値設定手段１８は、閉塞圧異常があれば現在の閉塞圧異常判定値に一定値ａ（例えば数ｍｍＨ2 ０) ×閉塞圧異常回数を加算する。そしてその加算値が閉塞圧異常の上限リミット値を超えれば、上限リミット値を新たな閉塞圧の異常判定値として閉塞圧異常判定値記憶手段９に記憶させる。しかし上限リミット値を超えなければ、前記加算値を新たな異常判定値として閉塞異常判定値記憶手段９に記憶させる。
【００４３】
そして、時間Ｔの間に閉塞圧の異常回数が所定回数（例えば１５回）に達していれば閉塞圧異常警告成立として表示手段７を通して外部に通知する。
【００４４】
図１６は本発明の第７実施形態のガス遮断装置を示している（図６に示した第３実施形態での各手段についての説明は省略する）。
【００４５】
図１６において、２５は上限差圧記憶手段、２６は下限差圧記憶手段で上限異常判定手段１９、下限異常判定手段２０からの信号に基づき調整圧の最大上限異常差圧、最大下限異常差圧をそれぞれ記憶する。上限判定値設定手段１４、下限判定値設定手段１５は、計時手段１３からの信号を受けた制御手段２からの信号と上限差圧記憶手段２５、下限差圧記憶手段２６で記憶した調整圧の最大異常差圧に従って、新たな調整圧の上限異常判定値、下限異常判定値をそれぞれ設定する。
【００４６】
次に第７実施形態について、図１８に示すフローチャートと図１９に示すタイミング図を参照してその動作を説明する。
【００４７】
図１８に示すフローチャートのステップ♯１〜♯６に示すように、図１４に示す所定時間Ｔ（例えば３０日）の間（ステップ♯１）に所定タイミング（ステップ♯２）で、上限異常判定手段１９と下限異常判定手段２０によりそれぞれ調整圧の上限異常、下限異常の判定を行い（ステップ♯３とステップ♯５）、それぞれ上限差圧記憶手段２５と下限差圧記憶手段２６により異常差圧を更新して記憶する（ステップ♯４とステップ♯６）。その後、時間Ｔに達すればステップ♯１からステップ♯７に移行し、計時手段１３からの信号を受信した制御手段２からの信号により、上限判定値設定手段１４において、上限差圧記憶手段２５で記憶された異常差圧があれば現在の上限異常判定値に、図１８で示す一定値ａ（例えば数ｍｍＨ2 ０) ×最大上限差圧を加算する。そしてその加算値が調整圧異常の上限リミット値を超えればステップ♯８に移行し、上限リミット値を上限判定値として上限異常判定値記憶手段４に記憶させる。しかし上限リミット値を超えなければステップ♯９で、前記加算値を上限異常判定値記憶手段４に記憶させる。
【００４８】
一方、ステップ♯１０〜ステップ♯１２では下限差圧記憶手段２６で記憶された最大下限差圧を一定値ａに乗じた値を減算し、その減算値が下限リミット値を超えれば、下限リミット値を下限判定値として下限異常判定値記憶手段５に記憶させ、下限リミット値を超えなければ前記減算値を下限判定値として下限異常判定値記憶手段５に記憶させる。そして、時間Ｔの間に調整圧の上限または下限の異常回数が所定回数（例えば１５回）に達していれば、調整圧異常警告成立として表示手段７を通して外部に通知する。
【００４９】
図１７は本発明の第８実施形態のガス遮断装置を示している（図７に示した第４実施形態での各手段についての説明は省略する）。２７は閉塞圧差圧記憶手段で、閉塞圧異常判定手段１０からの信号に基づき閉塞圧の最大異常差圧を記憶する。閉塞圧判定値設定手段１８は、計時手段１３からの信号を受けた制御手段２からの信号と、閉塞圧差圧記憶手段２７で記憶した閉塞圧の最大異常差圧に従って、新たな閉塞圧の異常判定値を設定する。
【００５０】
次に第８実施形態について、図２０に示すタイミング図を参照してその動作を説明する。閉塞圧が時間Ｔ（例えば３０日）の間に測定された場合、第７実施形態においてフローチャートで示した調整圧処理と同様に、時間Ｔが経過するまで閉塞圧を測定する毎に、閉塞圧異常判定手段１０で閉塞圧の異常判定を行い、閉塞圧差圧記憶手段２７で最大異常差圧を記憶する。その後、時間Ｔに達し計時手段１３からの信号を受信した制御手段２からの信号により閉塞判定値設定手段１８は、閉塞圧異常があれば現在の閉塞圧異常判定値に一定値ａ（例えば数ｍｍＨ2 ０) に最大閉塞圧差圧を乗じた値を加算する。そしてその加算値が閉塞圧異常の上限リミット値を超えれば、上限リミット値を閉塞圧の異常判定値として閉塞圧異常判定値記憶手段９に記憶させる。しかし上限リミットを超えなければ、前記加算値を閉塞異常判定値記憶手段９に記憶させる。そして、時間Ｔの間に閉塞圧の異常回数が所定回数（例えば１５回）に達していれば閉塞圧異常警告成立として表示手段７を通して外部に通知する。
【００５１】
【発明の効果】
以上説明したように本発明によれば、調整圧や閉塞圧の異常判定値を、それらを測定するための調整器のばらつきや各家庭のガス器具使用状況に対応して設定し最適な異常判定を行うするように制御できる。
【図面の簡単な説明】
【図１】本発明の第１実施形態（調整圧測定）の構成を示すブロック図。
【図２】本発明の第２実施形態（閉塞圧測定）の構成を示すブロック図。
【図３】本発明の第１実施形態の動作を説明するフローチャート。
【図４】本発明の第１実施形態の時間とガス圧の関係を示すタイミング図。
【図５】本発明の第２実施形態の時間とガス圧の関係を示すタイミング図。
【図６】本発明の第３実施形態（調整圧測定）の構成を示すブロック図。
【図７】本発明の第４実施形態（閉塞圧測定）の構成を示すブロック図。
【図８】本発明の第３実施形態の動作を説明するフローチャート。
【図９】本発明の第３実施形態の時間とガス圧の関係を示すタイミング図。
【図１０】本発明の第４実施形態の時間とガス圧の関係を示すタイミング図。
【図１１】本発明の第５実施形態（調整圧測定）の構成を示すブロック図。
【図１２】本発明の第６実施形態（閉塞圧測定）の構成を示すブロック図。
【図１３】本発明の第５実施形態の動作を説明するフローチャート。
【図１４】本発明の第５実施形態の時間とガス圧の関係を示すタイミング図。
【図１５】本発明の第６実施形態の時間とガス圧の関係を示すタイミング図。
【図１６】本発明の第７実施形態（調整圧測定）の構成を示すブロック図。
【図１７】本発明の第８実施形態（閉塞圧測定）の構成を示すブロック図。
【図１８】本発明の第７実施形態の動作を説明するフローチャート。
【図１９】本発明の第７実施形態の時間とガス圧の関係を示すタイミング図。
【図２０】本発明の第８実施形態の時間とガス圧の関係を示すタイミング図。
【図２１】従来例の構成（調整圧測定）を示すブロック図。
【図２２】従来例の構成（閉塞圧測定）を示すブロック図。
【符号の説明】
１  流量測定手段
２  制御手段
３  ガス圧力測定手段
４  上限異常判定値記憶手段
５  下限異常判定値記憶手段
６  調整圧異常判定手段
７  表示手段
１１  最大調整圧力記憶手段
１２  最小調整圧力記憶手段
１３  計時手段
１４  上限判定値設定手段
１５  上限判定値設定手段
【図１】
0004117753.tif 000002
【図２】
0004117753.tif 000003
【図３】
0004117753.tif 000004
【図４】
0004117753.tif 000005
【図５】
0004117753.tif 000006
【図６】
0004117753.tif 000007
【図７】
0004117753.tif 000008
【図８】
0004117753.tif 000009
【図９】
0004117753.tif 000010
【図１０】
0004117753.tif 000011
【図１１】
0004117753.tif 000012
【図１２】
0004117753.tif 000013
【図１３】
0004117753.tif 000014
【図１４】
0004117753.tif 000015
【図１５】
0004117753.tif 000016
【図１６】
0004117753.tif 000017
【図１７】
0004117753.tif 000018
【図１８】
0004117753.tif 000019
【図１９】
0004117753.tif 000020
【図２０】
0004117753.tif 000021
【図２１】
0004117753.tif 000022
【図２２】
0004117753.tif 000023